(57)【特許請求の範囲】
【請求項１】
冷媒を充填した筒状容器と、
前記筒状容器内の冷媒を圧縮又は膨張させ、前記冷媒の圧縮により発熱、前記冷媒の膨張により吸熱を生じさせる操作手段と、
前記容器内部に配置され、磁場の増減により温度が変化する磁気材料で構成される蓄冷手段と、
前記蓄冷手段に対する磁場を発生するとともに、前記操作手段による前記冷媒の圧縮又は膨張にともなう前記冷媒の発熱又は吸熱に連動させて前記蓄冷手段に対する磁場を増減させて前記蓄冷手段に発熱又は吸熱を励起させる磁場増減手段と
前記蓄冷手段に近接し、且つ前記操作手段により圧縮される前記筒状容器内の空間に配置され、前記冷媒及び前記蓄冷手段からの発熱を同時に系外に放熱する高温側熱交換手段と、
前記蓄冷手段に近接し、且つ前記操作手段により膨張される前記筒状容器内の空間に配置され、前記冷媒及び前記蓄冷手段での吸熱により系外の熱を同時に吸引する低温側熱交換手段と、
を具備したことを特徴とする熱輸送装置。
【請求項２】
前記蓄冷手段は、磁場を増加すると温度が上昇し磁場を減少すると温度が降下する正の磁気材料から構成されることを特徴とする請求項１記載の熱輸送装置。
【請求項３】
前記蓄冷手段は、磁場を増加すると温度が上昇し磁場を減少すると温度が降下する正の磁気材料と、磁場を増加すると温度が降下し磁場を減少すると温度が上昇する負の磁気材料とで構成されることを特徴とする請求項１記載の熱輸送装置。
【請求項４】
前記磁場増減手段は、磁場発生手段を有し、前記操作手段による前記冷媒の圧縮又は膨張にともなう該冷媒の発熱又は吸熱反応に連動させて前記磁場発生手段を前記蓄冷手段に近接可能に移動させることを特徴とする請求項１記載の熱輸送装置。
【請求項５】
前記磁場増減手段は、オンオフ可能な電磁石であることを特徴とする請求項１記載の熱輸送装置。
【請求項６】
前記磁場増減手段は、ハルバッハ磁石であることを特徴とする請求項１記載の熱輸送装置。
【請求項７】
冷媒を充填したシリンダ本体と、
前記シリンダ本体内の冷媒を圧縮又は膨張させ、前記冷媒の圧縮により発熱、前記冷媒の膨張により吸熱を生じさせるピストンと、
前記シリンダ本体内部に配置され、磁場の増減により温度が変化する磁気材料で構成される蓄冷手段と、
前記蓄冷手段に対する磁場を発生するとともに、前記ピストンによる前記冷媒の圧縮又は膨張にともなう前記冷媒の発熱又は吸熱に連動させて前記蓄冷手段に対する磁場を増減させて前記蓄冷手段に発熱又は吸熱を励起させる磁場増減手段と
前記蓄冷手段に近接し、且つ前記ピストンにより圧縮される前記シリンダ本体内の空間に配置され、前記冷媒及び前記蓄冷手段からの発熱を同時に系外に放熱する高温側熱交換手段と、
前記蓄冷手段に近接し、且つ前記ピストンにより膨張される前記シリンダ本体内の空間に配置され、前記冷媒及び前記蓄冷手段での吸熱により系外の熱を同時に吸引する低温側熱交換手段と
を具備したことを特徴とする熱輸送装置。
【請求項８】
前記蓄冷手段は、磁場を増加すると温度が上昇し磁場を減少すると温度が降下する正の磁気材料から構成されることを特徴とする請求項７記載の熱輸送装置。
【請求項９】
前記蓄冷手段は、磁場を増加すると温度が上昇し磁場を減少すると温度が降下する正の磁気材料と、磁場を増加すると温度が降下し磁場を減少すると温度が上昇する負の磁気材料とで構成されることを特徴とする請求項７記載の熱輸送装置。
【請求項１０】
前記磁場増減手段は、磁場発生手段を有し、前記操作手段による前記冷媒の圧縮又は膨張にともなう該冷媒の発熱又は吸熱反応に連動させて前記磁場発生手段を前記蓄冷手段に近接可能に移動させることを特徴とする請求項７記載の熱輸送装置。
【請求項１１】
前記磁場増減手段は、オンオフ可能な電磁石であることを特徴とする請求項７記載の熱輸送装置。
【請求項１２】
前記磁場増減手段は、ハルバッハ磁石であることを特徴とする請求項７記載の熱輸送装置。
【請求項１３】
磁気材料は、多孔質体又はバルク内部に外部と連通する複数の連通孔を有することを特徴とする請求項１、７のいずれかに記載の熱輸送装置。
【請求項１４】
前記蓄冷手段は、前記熱交換手段の高温側から低温側に向かう方向に順に作動温度が低下するように成分を異ならして形成した磁気材料を用いたことを特徴とする１、７のいずれかに記載の熱輸送装置。
【請求項１５】
請求項１、７のいずれかに記載の熱輸送装置を適用した冷凍機。
【請求項１６】
請求項１、７のいずれかに記載の熱輸送装置を適用したヒートポンプ。
【発明の詳細な説明】
【技術分野】
【０００１】
本発明は、熱輸送装置に係り、特に、冷媒の圧縮、膨張過程を有する冷凍サイクルを利用した熱輸送装置に関するものである。
【背景技術】
【０００２】
従来、冷凍サイクルを利用した熱輸送装置として、冷凍機やヒートポンプが知られている。このうちエネルギー効率の優れた冷凍機として、スターリング冷凍機が注目されている。スターリング冷凍機は、原理的には極めて高い冷凍効率が期待できるものであるが、実用化という面では、主に極低温（液体ヘリウム温度程度）を作るための冷凍機として使用されているのが現状である。一方で、スターリング冷凍機は、冷媒として人体に無害で、オゾン層破壊や地球温暖化などの問題のない自然冷媒のヘリウムを使用できることから、常温近辺での通常の冷凍機への応用が期待されている。
【０００３】
ところで、スターリング冷凍機は、等温圧縮・等積冷却・等温膨張・等積加熱の４つの基本過程からなるスターリング冷凍サイクルにより動作するものであり、かかるスターリング冷凍サイクルを実現するため、冷媒を封入した高温と低温のシリンダ部を設けるとともに、これらシリンダ部の間に高温側熱交換器、蓄冷器、低温側熱交換器を配設するように構成されている。そして、これらシリンダ部において冷媒の圧縮、膨張を繰り返すことにより、低温側熱交換器から高温側熱交換器に熱輸送を行なうようにしている。この場合、スターリング冷凍サイクルの４つの基本過程において、等積加熱、冷却は、主に蓄冷器との間の熱交換によって行われ、高温側熱交換器及び低温側熱交換器における放熱及び吸熱は、主に等温圧縮、膨張の過程で行われる。
【発明の開示】
【発明が解決しようとする課題】
【０００４】
ところが、このようなスターリング冷凍機に用いられるスターリング冷凍サイクルの効率は、主に高温側熱交換器、低温側熱交換器及び蓄冷器での伝熱性能に律則されているため、理論上では効率が高いにも関わらず、実際の機器で効率が低く所望する性能が得られないという問題があった。
【０００５】
このため、冷凍機としての性能向上を図るには、スターリング冷凍サイクルの過程での熱交換の効率を向上させることが重要であり、これらを改善するためには、さらに高温側熱交換器、低温側熱交換器及び蓄冷器と冷媒の熱交換性能を向上させる必要があった。
【０００６】
本発明は上記事情に鑑みてなされたもので、熱交換の効率向上を図ることができる熱輸送能力に優れた熱輸送装置、冷凍機及びヒートポンプを提供することを目的とする。
【課題を解決するための手段】
【０００７】
本発明に係る熱輸送装置は、
冷媒を充填した筒状容器と、
前記筒状容器内の冷媒を圧縮又は膨張させ、前記冷媒の圧縮により発熱、前記冷媒の膨張により吸熱を生じさせる操作手段と、
前記容器内部に配置され、磁場の増減により温度が変化する磁気材料で構成される蓄冷手段と、
前記蓄冷手段に対する磁場を発生するとともに、前記操作手段による前記冷媒の圧縮又は膨張にともなう前記冷媒の発熱又は吸熱に連動させて前記蓄冷手段に対する磁場を増減させて前記蓄冷手段に発熱又は吸熱を励起させる磁場増減手段と
前記蓄冷手段に近接し、且つ前記操作手段により圧縮される前記筒状容器内の空間に配置され、前記冷媒及び前記蓄冷手段からの発熱を同時に系外に放熱する高温側熱交換手段と、
前記蓄冷手段に近接し、且つ前記操作手段により膨張される前記筒状容器内の空間に配置され、前記冷媒及び前記蓄冷手段での吸熱により系外の熱を同時に吸引する低温側熱交換手段と、
を具備したことを特徴としている。
【０００９】
本発明に係る熱輸送装置は、
冷媒を充填したシリンダ本体と、
前記シリンダ本体内の冷媒を圧縮又は膨張させ、前記冷媒の圧縮により発熱、前記冷媒の膨張により吸熱を生じさせるピストンと、
前記シリンダ本体内部に配置され、磁場の増減により温度が変化する磁気材料で構成される蓄冷手段と、
前記蓄冷手段に対する磁場を発生するとともに、前記ピストンによる前記冷媒の圧縮又は膨張にともなう前記冷媒の発熱又は吸熱に連動させて前記蓄冷手段に対する磁場を増減させて前記蓄冷手段に発熱又は吸熱を励起させる磁場増減手段と
前記蓄冷手段に近接し、且つ前記ピストンにより圧縮される前記シリンダ本体内の空間に配置され、前記冷媒及び前記蓄冷手段からの発熱を同時に系外に放熱する高温側熱交換手段と、
前記蓄冷手段に近接し、且つ前記ピストンにより膨張される前記シリンダ本体内の空間に配置され、前記冷媒及び前記蓄冷手段での吸熱により系外の熱を同時に吸引する低温側熱交換手段と
を具備したことを特徴としている。
【発明の効果】
【００１０】
本発明によれば、熱交換の効率向上を図ることができる熱輸送能力に優れた熱輸送装置、冷凍機及びヒートポンプを提供できる。
【発明を実施するための最良の形態】
【００１１】
以下、本発明の実施の形態を図面に従い説明する。
【００１２】
（第１の実施の形態）
図１（ａ）〜（ｄ）は、本発明の熱輸送装置としてスターリング冷凍サイクルを用いた冷凍機の基本構成図を示している。
【００１３】
図１において、１は筒状容器であるシリンダで、このシリンダ１は、両端を開口しており、内部には、例えばヘリウムや窒素等のガスからなる冷媒が充填されている。シリンダ１の中空部中央には、蓄冷手段として蓄冷器２が配置されている。蓄冷器２は、磁場の増減により温度が変化する磁気材料３で構成されている。この実施の形態では、磁気材料３として、磁場を増加すると温度が上昇（発熱）し、磁場を減少すると温度が降下（吸熱）する正の磁気材料、例えばGd系材料が用いられる。
【００１４】
シリンダ１内部には、蓄冷器２の一方端に近接させて高温側熱交換器４が配置され、蓄冷器２の他方端に近接させて低温側熱交換器５が配置されている。高温側熱交換器４は、冷媒及び蓄冷器２からの発熱を系外に放熱するものである。また、低温側熱交換器５は、冷媒及び蓄冷器２での吸熱により系外から熱を吸引するものである。
【００１５】
シリンダ１の高温側熱交換器４側の開口部には、圧縮ピストン６が設けられ、低温側熱交換器５側の開口部には、膨張ピストン７が設けられている。これら圧縮ピストン６及び膨張ピストン７は、操作手段を構成するもので、圧縮ピストン６は、図１（ａ）に示す矢印Ａ方向の移動によりシリンダ１内部の冷媒を圧縮させ、膨張ピストン７は、図１（ｃ）に示す矢印Ｃ方向の移動によりシリンダ１内部の冷媒を膨張させる。
【００１６】
シリンダ１の外部には、蓄冷器２の周囲に沿って磁場増減手段として磁場増減機構８が配置されている。この磁場増減機構８は、蓄冷器２の磁気材料３に対して印加する磁場を増減させるものである。この磁場増減機構８に関しては、磁気材料３に対して磁場増減機能を満たすものであれば特に限定を加えるものではなく、例えば、オンオフ可能な電磁石や、蓄冷器２に対し近接可能に移動される磁場発生手段、例えば永久磁石などが用いられる。
【００１７】
次に、このように構成された冷凍機の作用を説明する。
【００１８】
まず、図１（ａ）に示すように圧縮ピストン６を図示Ａ方向、つまり図示左側から右側に移動させてシリンダ１内の冷媒を圧縮する。このとき、高温側熱交換器４を作動させると、圧縮により冷媒から発生する熱は図示矢印Ｂ方向に高温側熱交換器４から系外に放熱され、冷媒の圧縮過程が等温的に行われる。また、この冷媒を圧縮するタイミングにあわせて、磁場増減機構８により蓄冷器２に対し磁場を印加する。この場合、蓄冷器２は磁場の増減により温度が変化する磁気材料３で構成されるが、この実施の形態では、磁場を増加すると温度が上昇（発熱）し、磁場を減少すると温度が降下（吸熱）する正の磁気材料が用いられているので、蓄冷器２の温度は上昇する。このとき、高温側熱交換器４は作動しているので、蓄冷器２で発生した熱も図示矢印Ｂ方向に高温側熱交換器４から系外に放熱される。つまり、図１（ａ）に示す冷媒の圧縮過程では、冷媒での発熱に加え、さらに磁気材料３に励起された発熱も高温側熱交換器４から系外に放熱することができる。
【００１９】
次に、図１（ｂ）に示すように圧縮ピストン６と膨張ピストン７の間のシリンダ１内の体積を一定に保ったまま、圧縮ピストン６と膨張ピストン７を同時に図示右方向に動かし、冷媒をシリンダ１内の右側に移動させる。
【００２０】
次に、図１（ｃ）に示すように膨張ピストン７を図示Ｃ方向、つまり図示左側から右側に移動させてシリンダ１内の冷媒を膨張させる。このとき、低温側熱交換器５を作動させると、膨張により温度の低下した冷媒は低温側熱交換器５により図示矢印Ｄ方向に系外から吸熱し、冷媒の膨張過程が等温的に行われる。また、この冷媒を膨張するタイミングにあわせて、磁場増減機構８により、蓄冷器２に印加されていた磁場を除去する。蓄冷器２は、磁場を減少すると温度が降下（吸熱）する正の磁気材料で構成されているため、温度を降下する。このとき、低温側熱交換器５は作動しているので、低温側熱交換器５を介してさらに系外から熱を吸引することができる。つまり、図１（ｃ）の冷媒の膨張の過程では、冷媒による吸熱に加え、さらに磁気材料３でも吸熱が励起され、この状態で低温側熱交換器５を介して系外から熱を吸引することができる。
【００２１】
次に、図１（ｄ）に示すように、圧縮ピストン６と膨張ピストン７の間のシリンダ１内の体積を一定に保ったまま、圧縮ピストン６及び膨張ピストン７を図示左側に動かし、冷媒をシリンダ１内の左側に移動させる。
【００２２】
以下、同様にして、図１(a)〜(d)の過程を繰り返すことで、等温圧縮、等積冷却、等温膨張、等積加熱の４つの基本過程が繰り返して得られるようになり、スターリング冷凍サイクルを実現できる。つまり、圧縮、膨張過程を繰り返すことにより冷媒による発熱及び吸熱が行われ、同時に磁場を増減させることにより磁気材料３で構成された蓄冷器２においても発熱、吸熱反応が繰り返して励起され、高温側熱交換器４での放熱、低温側熱交換器５での吸熱を行なことができる。
【００２３】
したがって、このようにすれば、冷媒の圧縮、膨張過程を有する冷凍サイクルにおいて、圧縮過程においては冷媒の発熱に加えて、磁場の印加により蓄冷器２を構成する磁気材料３に発熱反応を励起し、この磁気材料３で発生した熱を高温側熱交換器４を介して放熱させるようにしたので、より多くの熱を系外に放熱することができる。また、膨張過程においては、膨張過程による冷媒の吸熱に加えて、磁場の除去により蓄冷器２を構成する磁気材料３に吸熱反応を発生させることにより、低温側熱交換器５を介して、より多くの熱を系外から吸熱することができる。このようにして、冷媒による発熱及び吸熱と同時に、磁気材料３で構成された蓄冷器２においても発熱、吸熱反応を励起させることにより、従来の圧縮、膨張過程を有する冷凍サイクルに比べ、熱交換の効率を飛躍的に向上させることができ、熱輸送能力に優れたスターリング冷凍サイクルを実現することが可能となる。
【００２４】
なお、上述した第１の実施の形態では、等温圧縮、等積冷却、等温膨張、等積加熱の４つの基本過程を繰り返すことでスターリング冷凍サイクルを実現しているが、２つの等積過程を等圧過程で置き換えれば、エリクソンサイクルを実現できる。また、圧縮、膨張過程を断熱過程で行い、２つの等積過程を等圧過程で行えば、ブレイトンサイクルを実現できる。
【００２５】
（第２の実施の形態）
この第２の実施の形態は、第１の実施の形態で述べた冷凍機を具体化したものである。図２は、かかる冷凍機を立体的に示した図である。
【００２６】
図２において、１１は筒状のケーシングで、このケーシング１１内部には、圧縮シリンダ１２及び膨張シリンダ１３が並べて配置されている。これら圧縮シリンダ１２及び膨張シリンダ１３は、それぞれ一方端部が開口され、他方端部が閉塞されたもので、閉塞された他方端部間を連通管１４により連結されている。この連通管１４は、圧縮シリンダ１２と膨張シリンダ１３のそれぞれの内部を連通するものである。これら圧縮シリンダ１２、膨張シリンダ１３内部には、例えばヘリウムや窒素等のガスからなる冷媒が充填されている。
【００２７】
圧縮シリンダ１２内には、蓄冷器１５が配置されている。蓄冷器１５は、磁場の増減により温度が変化する磁気材料１６で構成されている。この実施の形態では、磁気材料１６として、磁場を増加すると温度が上昇（発熱）し、磁場を減少すると温度が降下（吸熱）する正の磁気材料、例えばGd系材料が用いられる。この場合、磁気材料１６としては、例えば、図３（ａ）に示すように直径約1ｍｍあるいは1ｍｍ以下の概ね球状の磁気材料１６ａを充填し、内部に多数の空隙を有する多孔質体となるように構成したものや、同図（ｂ）に示すようにバルク材料内部に外部と連通する複数の小孔からなる連通孔１６ｂを有するものが用いられる。
【００２８】
蓄冷器１５に近接させて高温側熱交換器１７が配置されている。この場合、高温側熱交換器１７は、蓄冷器１５の前記連通管１４と反対側に配置される。この高温側熱交換器１７は、冷媒及び蓄冷器１５での発熱を系外に放熱するためのものである。
【００２９】
圧縮シリンダ１２には、圧縮ピストン１８が設けられている。この圧縮ピストン１８は、圧縮シリンダ１２の開口部より挿入され、圧縮シリンダ１２内部の冷媒を圧縮するためのものである。圧縮ピストン１８には、ピストンシャフト１９が連結されている。ピストンシャフト１９には、連結棒２０が連結されている。連結棒２０は、フライホイール２１の回転中心から外れた位置に連結され、フライホイール２１の回転運動を往復運動に変換してピストンシャフト１９を図示矢印Ｅ方向に往復移動させるクランク機構を構成している。フライホイール２１は、回転中心を駆動用モータ２２の回転軸２２１に連結され、所定の速度で回転される。
【００３０】
膨張シリンダ１３内部には、低温側熱交換器２３が配置されている。この低温側熱交換器２３は、冷媒及び蓄冷器１５での吸熱により系外から熱を吸引するためのものである。膨張シリンダ１３には、膨張ピストン２４が設けられている。この膨張ピストン２４は、膨張シリンダ１３の開口部より挿入され、膨張シリンダ１３内部の冷媒を膨張させるためのものである。膨張ピストン２４には、ピストンシャフト２５が連結されている。ピストンシャフト２５には、連結棒２６が連結されている。連結棒２６は、フライホイール２７の回転中心から外れた位置に連結されていて、フライホイール２７の回転運動を往復運動に変換してピストンシャフト２５を図示矢印Ｆ方向に往復移動させるクランク機構を構成している。フライホイール２７は、回転中心を駆動用モータ２２の回転軸２２１に連結され、所定の速度で回転される。
【００３１】
一方、ピストンシャフト１９には、円板状の支持板２８が一体に設けられている。支持板２８には、支持腕２９を介して磁場増減機構３０が設けられている。この磁場増減機構３０は円筒状をしたもので、圧縮シリンダ１２が中空部に位置するように配置され、ピストンシャフト１９による矢印Ｅ方向の往復移動により蓄冷器１５に対し磁場の増減を可能にしている。
【００３２】
この場合、圧縮ピストン１８側のフライホイール２１に取付けられる連結棒２０は、膨張ピストン２４側のフライホイール２７に取付けられ連結棒２６に対して回転位相が約９０度先行するようになっており、さらに、このような関係に基づいたピストンシャフト１９、２５の往復動作により、上述した図１（ａ）〜（ｄ）の等温圧縮、等積冷却、等温膨張、等積加熱の４つの基本過程を得られるようにもなっている。
【００３３】
前記磁場増減機構３０として、例えば図４（ａ）（ｂ）に示すようなハルバッハ磁石と呼ばれる２重円筒形の磁石を用いることができる。この円筒形磁石は、外側の円筒形磁石３０２の中空部に、内側の円筒形磁石３０１を所定の間隔をおいて配置し、２重円筒形磁石を構成している。これら円筒形磁石３０１及び３０２は、それぞれ各部位における磁気異方性の方向を符号３０３、３０４で示している。そして、図４(ａ)に示すように、内側の円筒形磁石３０１が中空部に生成する磁場３０５の向きと、外側の円筒形磁石３０２が中空部に生成する磁場３０６の向きを一致させると、内側の円筒形磁石３０１の中空部の空間３０７に強い磁場を生成することができる。この状態で、２重円筒形磁石全体をピストンシャフト１９により圧縮ピストン１８と同軸方向に移動させることで蓄冷器１５に対し磁場の増減を行なうことができる。
【００３４】
また、図４（ｂ）に示すように内側の円筒形磁石３０１が生成する磁場３０５の向きと、外側の円筒形磁石３０２が生成する磁場３０６の向きを逆向きにして、これら磁場３０５と３０６により生成される磁場３０６を互いに打ち消し合せることで、内側の円筒形磁石３０１の中空に弱い磁場を生成することができる。このような２重円筒形磁石の場合は、内側の円筒形磁石３０１又は外側の円筒形磁石３０１の一方をピストンシャフト１９の往復動作に合わせて回転させ、図４（ａ）又は（ｂ）の状態を得られようにすれば、蓄冷器１５に対する磁場の増減を行なうことができる。
【００３５】
図５（ａ）〜（ｄ）は、このように構成される冷凍機の作用を説明するための図で、図２と同一部分には同符号を付している。
【００３６】
この場合、シリンダ本体３１は、上述した圧縮シリンダ１２及び膨張シリンダ１３からなるものである。このシリンダ本体３１は、内部に冷媒が充填されている。また、シリンダ本体３１内部には、磁場の増減により温度が変化する磁気材料１６で構成された蓄冷器１５、高温側熱交換器１７、低温側熱交換器２３が配置され、また、シリンダ本体３１の一方開口部には、圧縮ピストン１８が配置され、他方開口部には、膨張ピストン２４が配置されている。また、シリンダ本体３１の外部には、蓄冷器１５の周囲に磁場増減機構３０が配置されている。この磁場増減機構３０は、圧縮ピストン１８のピストンシャフト１９に支持腕２９を介して連結され、圧縮ピストン１８と連動して往復動作可能にしている。
【００３７】
このような構成において、まず、図５（ａ）に示すように圧縮ピストン１８を図示Ａ方向、つまり図示左側から右側に移動させてシリンダ本体３１（圧縮シリンダ１２）内の冷媒を圧縮する。このとき、高温側熱交換器１７を作動させると、圧縮により冷媒から発生する熱は図示矢印Ｂ方向に高温側熱交換器４から系外に放熱され、冷媒の圧縮過程が等温的に行われる。これと同時にピストンシャフト１９に連結された磁場増減機構３０は、圧縮ピストン１８の移動とともに蓄冷器１５に磁場を印加させる位置に移動している。この場合、蓄冷器１５は、磁場を増加すると温度が上昇（発熱）し、磁場を減少すると温度が降下（吸熱）する正の磁気材料１６で構成されているので、温度を上昇する。このとき、高温側熱交換器１７は作動しているので、蓄冷器１５で発生した熱も図示矢印Ｂ方向に高温側熱交換器１７から系外に放熱することができる。つまり、図５（ａ）に示す冷媒の圧縮過程では、冷媒での発熱に加え、さらに磁気材料１６で励起された発熱も高温側熱交換器１７から系外に放熱させることができる。
【００３８】
次に、図５（ｂ）に示すように圧縮ピストン１８と膨張ピストン２４の間のシリンダ本体３１内の体積を一定に保ったまま、圧縮ピストン１８と膨張ピストン２４を同時に図示右方向に動かし、冷媒をシリンダ本体３１内の右側に移動させる。
【００３９】
次に、図５（ｃ）に示すように膨張ピストン７を図示Ｃ方向、つまり図示左側から右側に移動させてシリンダ本体３１（膨張シリンダ１３）内の冷媒を膨張させる。このとき、低温側熱交換器２３を作動させると、膨張により温度の低下した冷媒は低温側熱交換器２３を介して図示矢印Ｄ方向に系外から吸熱し、冷媒の膨張過程が等温的に行われる。
【００４０】
次に、図５（ｄ）に示すように、圧縮ピストン１８と膨張ピストン２４の間のシリンダ本体３１内の体積を一定に保ったまま、圧縮ピストン１８及び膨張ピストン２４を左に動かし、冷媒をシリンダ本体３１内の左側に移動させる。このとき、ピストンシャフト１９に連結された磁場増減機構３０は、圧縮ピストン１８の移動とともに蓄冷器１５から離れる方向に移動し、蓄冷器１５に対する磁場を除去した状態になる。蓄冷器１５は、磁場を減少すると温度が降下（吸熱）する正の磁気材料で構成されているため、温度を降下する。このとき、低温側熱交換器２３が作動しているので、低温側熱交換器２３を介して系外から熱を吸引することができる。つまり、図５（ｄ）の過程では、冷媒による吸熱に加え、さらに磁気材料１６でも吸熱が励起され、この状態で低温側熱交換器２３を介して系外から熱を吸引することができる。
【００４１】
以下、同様にして、図５（ａ）〜（ｄ）の過程を繰り返すことにより、等温圧縮、等積冷却、等温膨張、等積加熱の４つの基本過程を繰り返して得られるようになり、スターリング冷凍サイクルを実現できる。
【００４２】
したがって、このようにしても第１の実施の形態と同様な効果を得ることができる。さらに、圧縮ピストン１８、膨張ピストン２４及び磁場増減機構３０の一連の動きを駆動用モータ２２を駆動源として得られるようにしたので、スターリング冷凍サイクルを自動的に、しかも安定して動作させることができ、さらに駆動用モータ２２の回転速度を上げることで、高速冷凍を実現することもできる。
【００４３】
また、蓄冷器１５を構成する磁気材料１６として、内部に多数の空隙を有する多孔質体のものや、バルク材料内部に外部と連通する複数の小孔からなる連通孔を有するものが用いられ、磁気材料１６内部を冷媒が通過可能としたので、磁気材料１６と冷媒の接触面積を大きくできるとともに、磁気材料１６と冷媒の間の熱伝達率も大きくできる。これにより、冷媒との熱交換を効率よく行なうことができ、蓄冷器１５での発熱及び吸熱効果をさらに向上させることができる。
【００４４】
さらに、磁場増減機構３０として、外側の円筒形磁石３０２の中空部に内側の円筒形磁石３０１を配置したハルバッハ磁石と呼ばれる円筒形磁石を用いることにより、磁気材料１６の作動に必要な強力な磁場を簡単に得ることができる。
【００４５】
（第３の実施の形態）
図６（ａ）〜（ｄ）は、本発明のスターリング冷凍サイクルを用いた冷凍機の他の例の概略構成を示すもので、図５と同一部分には、同符号を付して説明を省略する。
【００４６】
この場合、シリンダ本体３１内部には、蓄冷部３２、高温側熱交換器１７、低温側熱交換器２３が配置され、また、シリンダ本体３１の一方開口部には、圧縮ピストン１８が配置され、他方開口部には、膨張ピストン２４が配置されている。また、シリンダ本体３１の外部には、蓄冷部３２の周囲に沿って磁場増減機構３０が配置されている。この磁場増減機構３０は、圧縮ピストン１８のピストンシャフト１９に支持腕２９を介して連結され、圧縮ピストン１８と連動して往復動作可能にしている。
【００４７】
前記蓄冷部３２は、磁場を増加すると温度が上昇し磁場を減少すると温度が降下する正の磁気材料３３１で構成された蓄冷器３２１と、磁場を増加すると温度が降下し磁場を減少すると温度が上昇する負の磁気材料３３２で構成された蓄冷器３２２が並べて配置されている。ここで、正の磁気材料３３１としては、磁場を印加していない場合では常磁性状態（磁気スピンが無秩序状態）であり、磁場を印加すると強磁性状態（磁気スピンが秩序状態）となる所謂、強磁性物質やメタ磁性物質が用いられる（磁場の印加／除去に伴って強磁性状態から常磁性状態へ秩序−無秩序転移するような物質）。また、負の磁気材料３３２としては、磁場を印加していない場合と磁場を印加した場合とでそれぞれが別の秩序状態となり、且つ、磁場を印加しない場合の方が秩序度が高い（系の自由度が低い）状態であるような２つの秩序状態間で、磁場の印加／除去に伴って秩序−秩序転移するような物質が用いられる。ここで、正の磁気材料３３１の具体的な例としては、例えばＧｄやＧｄをベースとした合金であるＧｄ―Ｙ系、Ｇｄ―Ｄｙ系、Ｇｄ―Ｅｒ系、Ｇｄ―Ｈｏ系などの強磁性物質や、Ｌａ(Ｆｅ、Ｓｉ)13やＬａ(Ｆｅ、Ａｌ)13をベースとしたメタ磁性物質や強磁性物質を用いることができる。また、負の磁気材料３３２の具体的な例としては、例えばＦｅＲｈ合金のように磁場の印加／除去に伴って強磁性状態から反強磁性状態へ秩序−秩序転移するような物質を用いることができる。ＦｅＲｈ合金では、２つの状態間でＲｈの分極の違いに起因してＲｈの磁気モーメントの大きさ自体が大きく変化して、電子系のエントロピーが変化している。
【００４８】
このような構成において、まず、図６（ａ）に示すように圧縮ピストン１８を図示Ａ方向、つまり図示左側から右側に移動させてシリンダ本体３１（圧縮シリンダ１２）内の冷媒を圧縮する。このとき、高温側熱交換器１７を作動させると、圧縮により冷媒から発生する熱は図示矢印Ｂ方向に高温側熱交換器１７から系外に放熱され、冷媒の圧縮過程が等温的に行われる。これと同時にピストンシャフト１９に連結された磁場増減機構３０は、圧縮ピストン１８の移動とともに蓄冷器３２１に磁場を印加させる位置に移動している。この場合、蓄冷器３２１は、磁場を増加すると温度が上昇（発熱）し、磁場を減少すると温度が降下（吸熱）する正の磁気材料３３１で構成されているので、温度を上昇する。このとき、高温側熱交換器１７は作動しているので、蓄冷器３２１で発生した熱も図示矢印Ｂ方向に高温側熱交換器１７から系外に放熱することができる。一方、蓄冷器３２２は、磁場増減機構３０からの磁場を除去された状態にある。蓄冷器３２２は、磁場を除去すると温度が上昇（発熱）する負の磁気材料３３２で構成されているので、温度を上昇する。この蓄冷器３２２の発熱は、高温側熱交換器１７が作動しているため、高温側熱交換器１７を介して系外に放熱することができる。このように、図６（ａ）に示す冷媒の圧縮過程では、冷媒の放熱に加えて、磁気材料３３１，３３２で発生した熱も高温側熱交換器１７から系外に放熱させることができるので、さらに多くの熱を放熱できる。 
次に、図６（ｂ）では、圧縮ピストン１８と膨張ピストン２４の間のシリンダ本体３１の体積を一定に保ったまま、圧縮ピストン１８と膨張ピストン２４を同時に図示右方向に動かし、冷媒をシリンダ本体３１内の右側に移動させる。
【００４９】
次に、図６(c)に示すように、膨張ピストン２４が図示Ｃ方向、つまり図示左側から右側に移動させてシリンダ本体３１（膨張シリンダ１３）内の冷媒を膨張させる。このとき、低温側熱交換器２３を作動させると、膨張により温度の低下した冷媒は低温側熱交換器２３を介して図示Ｄ方向に系外から吸熱し、冷媒の膨張過程が等温的に行われる。
【００５０】
次に、図６(d)に示すようら、圧縮ピストン１８と膨張ピストン２４の間のシリンダ本体３１内の体積を一定に保ったまま、圧縮ピストン１８および膨張ピストン２４を左に動かし、冷媒をシリンダ本体３１内の左側に移動させる。このとき、圧縮ピストン１８のピストンシャフト１９に連結された磁場増減機構３０は、圧縮ピストン１８の移動とともに蓄冷器３２２に磁場を印加させる位置に移動する。これにより、蓄冷器３２１に対する磁場が除去され、今度は蓄冷器３２２に対し磁場が印加された状態になる。蓄冷器３２１は、磁場を減少すると温度が降下（吸熱）する正の磁気材料３３１で構成されているため、温度を降下するが、このとき、低温側熱交換器２３が作動しているので、低温側熱交換器２３を介して系外から吸熱することができる。同時に、磁場を印加された蓄冷器３２２は磁場を印加すると温度が降下（吸熱）する負の磁気材料３３２で構成されているため、温度を降下するが、低温側熱交換器２３が作動しているため、低温側熱交換器２３を介して系外から吸熱することができる。つまり、図６（ｄ）の過程では、冷媒による吸熱に加え、磁気材料３３１，３３２による吸熱が行われるようになるので、さらに多くの吸熱が可能となる。
【００５１】
以下、同様にして、図５（ａ）〜（ｄ）の過程を繰り返すことにより、等温圧縮、等積冷却、等温膨張、等積加熱の４つの基本過程を繰り返して得られるようになりスターリング冷凍サイクルを実現できる。
【００５２】
したがって、このようにしても第２の実施の形態と同様な効果を得ることができる。さらに、蓄冷部３２として、磁場を増加すると温度が上昇し磁場を減少すると温度が降下する正の磁気材料３３１で構成された蓄冷器３２１と、磁場を増加すると温度が降下し磁場を減少すると温度が上昇する負の磁気材料３３２で構成された蓄冷器３２２を有するものが用いられ、冷媒の放熱時には、冷媒での放熱に加えて磁気材料３３１，３３２でも放熱させ、冷媒の吸熱時には、この冷媒での吸熱に加えて磁気材料３３１，３３２でも吸熱させるようにできるので、さらに多くの熱を放熱及び吸熱することが可能となり、冷凍サイクルの熱交換の効率をさらに高めることができる。
【００５３】
（第４の実施の形態）
上述した実施の形態では、等温圧縮、等積冷却、等温膨張、等積加熱の４つの基本過程を有するスターリング冷凍サイクルを用いた冷凍機について述べたが、この第４の実施の形態では、等温圧縮、等温膨張の２つの基本過程からなる冷凍サイクルが適用された冷凍機を示している。
【００５４】
図７は、このような冷凍機を具体化したものを立体的に示した図である。
【００５５】
図において、４１は筒状のケーシングで、このケーシング４１内部には、筒状をしたシリンダ本体４２が配置されている。このシリンダ本体４２は、一方端部が開口され、他方端部が閉塞されている。また、シリンダ本体４２内部には、例えばヘリウムや窒素等のガスからなる冷媒が充填されている。
【００５６】
シリンダ本体４２内部には、閉塞された端部側に蓄冷器４３が配置されている。蓄冷器４３は、磁場の増減により温度が変化する磁気材料４４で構成されている。この実施の形態では、磁気材料４４として、磁場を増加すると温度が上昇（発熱）し、磁場を減少すると温度が降下（吸熱）する正の磁気材料、例えばGd系材料が用いられる。また、磁気材料４４についても、図３で述べたと同様な多孔質体又はバルク内部に外部と連通する複数の連通孔を有するものが用いられる。
【００５７】
蓄冷器４３両側には、高温側熱交換器４５と低温側熱交換器４６が配置されている。この場合、高温側熱交換器４５は、シリンダ本体４２の開口側に配置される。この高温側熱交換器４５は、冷媒及び蓄冷器４３での発熱を系外に放熱するためのものである。また、低温側熱交換器４６は、シリンダ本体４２の閉塞された他方端部側に配置されている。この低温側熱交換器４６は、冷媒及び蓄冷器４３での吸熱により系外から熱を吸い上げるためのものである。
【００５８】
シリンダ本体４２には、ピストン４７が設けられている。このピストン４７は、シリンダ本体４２の開口部より挿入され、シリンダ本体４２内部の冷媒を圧縮、膨張させるためのものである。ピストン４７には、ピストンシャフト４８が連結されている。ピストンシャフト４８には、連結棒４９が連結されている。連結棒４９は、フライホイール５０の回転中心から外れた位置に連結され、フライホイール５０の回転運動を往復運動に変換してピストンシャフト４８を図示矢印Ｈ方向に往復移動させるクランク機構を構成している。フライホイール５０は、回転中心を駆動用モータ５１の回転軸５２に連結され、所定の速度で回転される。
【００５９】
一方、ピストンシャフト４８には、円板状の支持板５３が一体に設けられている。支持板５３には、支持腕５４を介して磁場増減機構５５が設けられている。この磁場増減機構５５は円筒状をしたもので、シリンダ本体４２が中空部に位置するように配置され、ピストンシャフト４８による矢印Ｈ方向の往復移動により蓄冷器４３に対し磁場の増減を可能にしている。この場合も、磁場増減機構５５として、図４（ａ）（ｂ）で述べたハルバッハ磁石と呼ばれる２重円筒形の磁石を用いることができる。
【００６０】
図８（ａ）（ｂ）は、このように構成される冷凍機の作用を説明するための図で、図７と同一部分には同符号を付している。
【００６１】
この場合、シリンダ本体４２は、内部に冷媒が充填されている。また、シリンダ本体４２内部には、磁場の増減により温度が変化する磁気材料４４で構成された蓄冷器４３、高温側熱交換器４５、低温側熱交換器４６が配置され、また、シリンダ本体４２の開口部には、ピストン４７が配置されている。また、シリンダ本体４２の外部には、蓄冷器４３の周囲に磁場増減機構５５が配置されている。この磁場増減機構５５は、ピストン４７のピストンシャフト４８に支持腕５４を介して連結され、ピストン４７と連動して往復動作可能にしている。
【００６２】
このような構成において、まず、図８（ａ）に示すようにピストン４７を図示Ａ方向、つまり図示左側から右側に移動させて、シリンダ本体４２内の冷媒を圧縮する。このとき、高温側熱交換器４５を作動させると、圧縮により冷媒から発生する熱は図示矢印Ｂ方向に高温側熱交換器４５により系外に放熱され、冷媒の圧縮過程が等温的に行われる。これと同時に、ピストンシャフト４８に連結された磁場増減機構５５は、ピストン４７の移動とともに蓄冷器４３に磁場を印加させる位置に移動している。この場合、蓄冷器４３は、磁場を増加すると温度が上昇（発熱）し、磁場を減少すると温度が降下（吸熱）する正の磁気材料４４で構成されているので、温度を上昇する。このとき、高温側熱交換器４５は作動しているので、蓄冷器４３で発生した熱も図示矢印Ｂ方向に高温側熱交換器４５から系外に放熱することができる。つまり、図８（ａ）に示す冷媒の圧縮過程では、冷媒での発熱に加えて、さらに磁気材料４４に励起された発熱も高温側熱交換器４５から系外に放熱することができる。
【００６３】
次に、図８（ｂ）に示すようにピストン４７を図示Ｃ方向、つまり図示右側から左側に移動させてシリンダ本体４２内の冷媒を膨張させる。このとき、低温側熱交換器４６を作動させると、膨張により温度の低下した冷媒は低温側熱交換器４６を介して図示矢印Ｄ方向に系外から吸熱し、冷媒の膨張過程が等温的に行われる。同時に、ピストンシャフト４８に連結された磁場増減機構５５は、ピストン４７の移動とともに蓄冷器４３から磁場を除去する位置に移動する。蓄冷器４３は、磁場を減少すると温度が降下（吸熱）する正の磁気材料４４で構成されているため、温度を降下する。このとき、低温側熱交換器４６が作動しているため、低温側熱交換器４６を介して系外から熱を吸引することができる。つまり、図８（ｂ）に示す冷媒の膨張過程では、冷媒による吸熱に加えて、さらに磁気材料４４でも吸熱が励起され、この状態で低温側熱交換器４６を介して系外から熱を吸引することができる。
【００６４】
以下、同様に、図８（ａ）、（ｂ）の過程を繰り返すことにより、高温側熱交換器４５により系外に放熱し、低温側熱交換器４６により系外から熱を吸熱する等温圧縮、等温膨張の２の基本過程からなる冷凍サイクルを実現することができる。
【００６５】
したがって、このような等温圧縮、等温膨張の２つの基本過程からなる冷凍サイクルについても、冷媒の発熱時には、この発熱に加えて磁気材料４４で放熱させ、また、冷媒の吸熱時には、この吸熱に加えて磁気材料４４でも吸熱をさせるようにできるので、熱交換の効率の優れた冷凍サイクルを実現できる。また、このような冷凍サイクルは、シリンダ本体４２及びピストン４７により実現できるので、装置全体の構成を簡単にでき、価格的にも安価にできる。
【００６６】
（第５の実施の形態）
図９（ａ）（ｂ）は、等温圧縮、等温膨張の２つの基本過程からなる冷凍サイクルを用いた冷凍機の他の例の概略構成を示すもので、図８と同一部分には、同符号を付して説明を省略する。
【００６７】
この場合、シリンダ本体４２内部には、蓄冷部５６、高温側熱交換器４５、低温側熱交換器４６が配置され、また、シリンダ本体４２の開口部には、ピストン４７が配置されている。また、シリンダ本体４２の外部には、蓄冷部５６の周囲に沿って磁場増減機構５５が配置されている。この磁場増減機構５５は、ピストン４７のピストンシャフト４８に支持腕５４を介して連結され、ピストン４７と連動して往復動作可能にしている。
【００６８】
前記蓄冷部５６は、磁場を増加すると温度が上昇し磁場を減少すると温度が降下する正の磁気材料４４１で構成された蓄冷器４３１と、磁場を増加すると温度が降下し磁場を減少すると温度が上昇する負の磁気材料４４２で構成された蓄冷器４３２が並べて配置されている。ここで、正の磁気材料４４１と負の磁気材料４４２は、第３の実施の形態で述べたと同様なものが用いられる。
【００６９】
このような構成において、まず、図９（ａ）に示すようにピストン４７を図示Ａ方向、つまり図示左側から右側に移動させてシリンダ本体４２内の冷媒を圧縮する。このとき、高温側熱交換器４５を作動させることにより、圧縮により冷媒から発生する熱は図示矢印Ｂ方向に高温側熱交換器４５により系外に放熱され、冷媒の圧縮過程が等温的に行われる。これと同時にピストンシャフト４８に連結された磁場増減機構５５は、ピストン４７の移動とともに蓄冷器４３１に磁場を印加させる位置に移動している。この場合、蓄冷器４３１は、磁場を増加すると温度が上昇（発熱）し、磁場を減少すると温度が降下（吸熱）する正の磁気材料４４１で構成されているので、温度は上昇する。このとき、高温側熱交換器４５は作動しているので、蓄冷器４３１で発生した熱も図示矢印Ｂ方向に高温側熱交換器４５から系外に放熱することができる。一方、蓄冷器４３２は、磁場増減機構５５からの磁場を除去された状態にある。この場合、蓄冷器４３２は、磁場を除去すると温度が上昇（発熱）する負の磁気材料４４２で構成されているので、温度は上昇する。この蓄冷器４３２の発熱は、高温側熱交換器４５が作動しているため、高温側熱交換器４５を介して系外に放熱することができる。このように、図９（ａ）に示す冷媒の圧縮過程では、冷媒の放熱に加えて、磁気材料４４１，４４２で発生した熱も高温側熱交換器１７から系外に放熱させることができるので、さらに多くの熱を放熱できる。
【００７０】
次に、図９（ｂ）に示すように、ピストン４７を図示Ｃ方向、つまり図示右側から左側に移動させてシリンダ本体４２内の冷媒を膨張させる。このとき、低温側熱交換器４６を作動させると、膨張により温度の低下した冷媒は低温側熱交換器４６を介して図示矢印Ｄ方向に系外から吸熱し、冷媒の膨張過程が等温的に行われる。同時に、ピストンシャフト４８に連結された磁場増減機構５５は、ピストン４７の移動とともに蓄冷器４３２に磁場を印加させる位置に移動する。これにより、蓄冷器４３１に対する磁場が除去され、今度は、蓄冷器４３２に対し磁場が印加された状態になる。蓄冷器４３１は、磁場を減少すると温度が降下（吸熱）する正の磁気材料４４１で構成されているため、温度は降下するが、このとき、低温側熱交換器４６が作動しているので、低温側熱交換器４６を介して系外から吸熱することができる。同時に、磁場を印加された蓄冷器４３２は磁場を印加すると温度が降下（吸熱）する負の磁気材料４４２で構成されているため、温度は降下するが、低温側熱交換器４６が作動しているため、低温側熱交換器４６を介して系外から吸熱することができる。図９（ｂ）に示す冷媒の膨張過程では、冷媒の吸熱に加えて、磁気材料４４１、４４２の温度降下による吸熱により、低温側熱交換器４６を介して系外から吸熱することができるので、さらに多くの熱を吸引できる。
【００７１】
以下同様に、図９（ａ）、（ｂ）の過程を繰り返すことにより、低温側熱交換器４６により系外から熱を吸熱し、高温側熱交換器４５により系外に放熱する等温圧縮、等温膨張の２つの基本工程からなる冷凍サイクルを実現できる。
【００７２】
したがって、このようにしても第４の実施の形態と同様な効果を得ることができる。さらに、冷媒の放熱時には、冷媒での放熱に加えて磁気材料４４１，４４２でも放熱させ、冷媒の吸熱時には、この冷媒での吸熱に加えて磁気材料４４１，４４２でも吸熱させるようにできるので、さらに多くの熱を放熱及び吸熱することが可能となり、冷凍サイクルとしての熱交換の効率をさらに高めることができる。
【００７３】
（第６の実施の形態）
上述した実施の形態では、磁場増減機構側を移動させることで、蓄冷器に対する磁場の増減を可能にしたが、この第６の実施の形態では、磁場増減機構を静止したまま蓄冷器に対する磁場の増減を可能にしている。
【００７４】
図１０は、第６の実施の形態の概略構成を示すもので、図１と同一部分には同符号を付し、その説明を省略する。
【００７５】
この場合、冷媒を充填したシリンダ１内に圧縮ピストン６、膨張ピストン７、磁場の増減により温度が変化する磁気材料３で構成された蓄冷器２、高温側熱交換器４、低温側熱交換器５が配置されている。
【００７６】
シリンダ１の外部には、蓄冷器２に対応させて磁場増減機構６１が配置されている。この磁場増減機構６１は、図１１に示すように一対の永久磁石６２ａ、６２ｂとヨーク６３ａ、６３ｂから構成されている。この場合、永久磁石６２ａ、６２ｂは、シリンダ１（蓄冷器２）を挟持するように配置されている。また、ヨーク６３ａ、６３ｂは、永久磁石６２ａ、６２ｂのの間の磁路を開閉可能にしたもので、図１１（ａ）に示すように永久磁石６２ａ、６２ｂの間の磁路を閉じた状態で蓄冷器２に対する磁場を増加させ、永久磁石６２ａ、６２ｂの間の磁路を開放した状態で蓄冷器２に対する磁場を減少させるようにしている。
【００７７】
このようにすれば、永久磁石６２ａ、６２ｂを静止したまま、ヨーク６３ａ、６３ｂ側を移動させ永久磁石６２ａ、６２ｂの間の磁路を開閉させることで、蓄冷器２に対する磁場を増減させることができるので、かかる磁場の増減を第１の実施の形態で述べた等温圧縮、等積冷却、等温膨張、等積加熱の各過程に対応させて繰り返すようにすることで第１の実施の形態と同様な効果を得ることができる。
【００７８】
なお、このように構成される磁場増減機構６１は、上述した第２乃至第５の実施の形態にも適用することができる。
【００７９】
その他、本発明は、上記実施の形態に限定されるものでなく、実施段階では、その要旨を変更しない範囲で種々変形することが可能である。例えば、上述した各実施の形態の蓄冷器を構成する磁気材料は、作動温度が一定の均一成分のものが用いられているが、例えば、高温側熱交換器から低温側熱交換器に向かう方向に順に作動温度が低下するように成分を異ならして形成したものを用いることもできる。このような磁気材料を用いれば、高温側熱交換器での発熱、低温側熱交換器での吸熱の夫々の動作を強調でき、さらに効率的に放熱、吸熱を行うことができる。また、上述した各実施の形態の高温側熱交換器及び低温側熱交換器は、磁場の増減により温度が変化する磁気材料で構成することも可能である。さらに上述した各実施の形態では、一貫して冷凍機について述べたが、熱を低温側から高温側に移動するためのヒートポンプにも適用できることは勿論である。
【００８０】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００８１】
【図１】本発明の第１の実施の形態に適用される冷凍機の基本構成を示す図。
【図２】本発明の第２の実施の形態に適用される冷凍機を具体化して立体的に示した図。
【図３】第２の実施の形態に用いられる磁気材料の概略構成を示す図。
【図４】第２の実施の形態に用いられる磁場増減機構の概略構成を示す図。
【図５】第２の実施の形態の作用を説明するための図。
【図６】本発明の第３の実施の形態に適用される冷凍機の概略構成を示す図。
【図７】本発明の第４の実施の形態に適用される冷凍機を具体化して立体的に示した図。
【図８】第４の実施の形態の作用を説明するための図。
【図９】本発明の第５の実施の形態に適用される冷凍機の概略構成を示す図。
【図１０】本発明の第６の実施の形態に適用される冷凍機の概略構成を示す図。
【図１１】第６の実施の形態の作用を説明するための図。
【符号の説明】
【００８２】
１…シリンダ、２…蓄冷器
３…磁気材料、４…高温側熱交換器
５…低温側熱交換器、６…圧縮ピストン
７…膨張ピストン、８…磁場増減機構
１１…ケーシング、１２…圧縮シリンダ
１３…膨張シリンダ、１４…連通管
１５…蓄冷器、１６…磁気材料、１６ａ…球状の磁気材料
１６ｂ…連通孔、１７…高温側熱交換器
１８…圧縮ピストン、１９、２５…ピストンシャフト
２０、２６…連結棒、２１、２７…フライホイール
２２…駆動用モータ、２２１…回転軸
２３…低温側熱交換器、２４…膨張ピストン
２８…支持板、２９…支持腕、３０…磁場増減機構
３０１、３０２…円筒形磁石、３０５、３０６…磁場
３０７…空間、３１…シリンダ本体、３２…蓄冷部
３２１、３２２…蓄冷器、３３１．３３２…磁気材料
４１…ケーシング、４２…シリンダ本体、４３…蓄冷器
４４…磁気材料、４５…高温側熱交換器、４６…低温側熱交換器
４７…ピストン、４８…ピストンシャフト
４９…連結棒、５０…フライホイール
５１…駆動用モータ、５２…回転軸、５３…支持板
５４…支持腕、５５…磁場増減機構、５６…蓄冷部
４３１、４３２…蓄冷器、４４１．４４２…磁気材料
６１…磁場増減機構、６２ａ．６２ｂ…永久磁石
６３ａ．６３ｂ…ヨーク
【図１】
0004533838.tif 000002
【図２】
0004533838.tif 000003
【図３】
0004533838.tif 000004
【図４】
0004533838.tif 000005
【図５】
0004533838.tif 000006
【図６】
0004533838.tif 000007
【図７】
0004533838.tif 000008
【図８】
0004533838.tif 000009
【図９】
0004533838.tif 000010
【図１０】
0004533838.tif 000011
【図１１】
0004533838.tif 000012